Podtech/llm-jp-corpus-v4-ja_patent huggingface dataset:
(57)【要約】【課題】一度開封した蓋をボトル容器から離脱させないためのボトル蓋保持具を提供する。また、そのことによって両手を使わずに飲用することが出来る。【解決手段】図１▲３▼の蓋ホルダーと図１▲１▼の吸盤を使用し図１▲２▼の線状等のもので蓋とボトル容器をつなぐものにする。【選択図】図１
2006044787.tif 000002
【特許請求の範囲】
【請求項１】
アルミボトル及びペットボトル等の容器とねじ込みタイプの蓋とから構成される飲料水等の容器に対し、一方を該ボトルの図１▲６▼のボトル本体に図１▲１▼の吸盤でボトルに吸着し、他方を図１▲５▼の該蓋を図１▲３▼ではめ込み保持するボトルの蓋保持具。
【発明の詳細な説明】
【技術背景】
【０００１】この発明はボトル容器と蓋が離脱しないように図１▲１▼の吸盤と図１▲３▼の蓋ホルダーでつなぎ蓋を保持するための蓋保持具に関するものである。
【発明の開示】
【発明が解決しようとする課題】
【０００２】従来、飲料水用のボトルは製品化されて消費者が仮止めされている蓋を回すことで開封し飲用することが出来ます。しかし、一度開封した蓋は手に持つか机等に置くしか出来ません。
特に運転中等はこの動作を片方の手で行わなければなりません。一度開封しても、また閉めることによって中の液体がこぼれない利点が有るのですが、運転中等は蓋を放置出来ないために両手を使わなければいけない不便さが有りました。蓋がボトル容器から離脱しなければ解決出来ます。
【課題を解決するための手段】
【０００３】本発明は、前記の如き課題を解決するために図１▲３▼の蓋ホルダーと図１▲１▼の吸盤を使用し図１▲２▼の線状等のもので蓋とボトル容器をつなぐものにしたものである。
【発明の効果】
【０００４】従来のボトルはカップホルダー等を使用している時点では必ず蓋を閉めておかないと蓋を無くす可能性が有りました。特に車内では閉める必要が無いときでも蓋の置き場所が無いために蓋を閉めていました。蓋を開ける動作、閉める動作をするのに両手が必要なために運転中は安全を害する可能性が有ります。蓋とボトル容器が離脱しなければ運転中の安全を害することも又は屋内屋外等で飲料飲用時に蓋を落として不衛生になることも無くなります。
【発明を実施するための最良の形態】
【０００５】以下、本発明の実施の形態を図面を基に説明する。
本発明は図３▲１▼を吸盤にする。図３▲２▼を柔軟素材を使用した線状とする。図３▲３▼を柔軟素材により形成した蓋保持具とする。また図３▲４▼で図３▲３▼の蓋保持具から図３▲２▼の線状が安易に抜けるのを防止する。これによって図２▲３▼の蓋保持具を回す時点で線状がフリーになるために線状の絡まりを防げる。
【実施例】
【０００６】飲料水用ボトルの蓋離脱防止。
【図面の簡単な説明】
【０００７】
【図１】蓋を開けている状態（このときに▲１▼及び▲２▼及び▲３▼によって蓋が離脱しない）
【図２】蓋を閉めている状態
【図３】蓋保持具
【符号の説明】
【０００６】▲１▼  吸盤
▲２▼  線状
▲３▼  蓋保持具
▲４▼  線状抜け防止具
▲５▼  ボトル既存蓋
▲６▼  ボトル容器
【図１】
2006044787.tif 000003
【図２】
2006044787.tif 000004
【図３】
2006044787.tif 000005
(57)【要約】      （修正有）【課題】自然の素材をそのまま生かした食品容器に好適な折り畳み式食品包装用容器を提供する。【解決手段】  経木の片面に紙を貼り、容器の内面とする。経木のもう一方の面は切り込みやＶカットを入れて容器の外面とする。例えば、内面に紙を貼った経木の外面の両端から、容器の深さに値するところに、経木の繊維方向に垂直になるように切り込みやＶカットを入れて、両端を内側に折り曲げて容器の底１と側板２とする。両側板を底から垂直に立ち上げたり、内側に折り曲げたりを可能にするために両側板を底から垂直に立ち上げたまま、妻板側に紙３を貼り、垂直に立ち上げた両側板と底を固定する。経木の補助板（側板の高さ×底の幅）５を作り、容器の妻板側の内側に差し込むと両側板は内側に倒れず、且つ妻板側に貼られた紙を補強することが出来る。【選択図】    図４
2006044785.tif 000002
【特許請求の範囲】
【請求項１】
経木と紙を使った折り畳み式食品包装容器。
【発明の詳細な説明】
【技術分野】
【０００１】    この発明は、経木に紙などを張り合わせて作った、折り畳み式食品包装用容器に関するものである。
【背景技術】
【０００２】    従来、経木だけを使った食品包装用容器は簡易に折り畳めなかった。
【発明の開示】
【発明が解決しようとする課題】
【０００３】    これは次のような問題点があった。
イ）経木に切り込みやＶカットを入れて折り曲げた場合、切断する場合がある。また、ロ）木屑や木の粉が包装容器に入れた食品等に付着する。ハ）木の種類によっては食品等の水分を吸収し過ぎるものもある。ニ）ご飯粒などが木にこびり付く。ホ）木の匂いが食品等に移る。
本発明は、木の特徴をそのまま生かし、以上のような欠点をなくすためになされたものである。
【課題を解決するための手段】
【０００４】    経木の片面、つまり容器の内側になる面に紙を張り合わせる。経木の他の面は切り込みやＶカットを入れて容器の外面とする。例えば、内面に紙を貼った経木の外面の両端から、容器の深さに値するところに、経木の繊維方向に垂直になるように切り込みやＶカットを入れて、両端を内側に折り曲げて容器の底（１）と側板（２）とする。両側板を底から垂直に立上げたり、内側に折り曲げたりを可能にするために両側板を底から垂直に立上げたまま、妻板側に紙（３）を貼り両側板と底を固定する。両側板が内側に折れる時、妻板側の紙も内側に折れるように折目（４）の山を内側に入れると、小さく畳めより良い。これで底に連結した両側板は底から垂直に立上がり外側には倒れず、内側だけに折り畳められる。なお、この容器に食品を入れる場合、側板が容器の内側に倒れ込まないようにするために、経木の補助板（側板の高さ×底の幅）（５）を作り、容器の妻板側の内側に差し込むと両側板は内側に倒れず、且つ妻板側に貼られた紙を補強する事が出来る。
以上の構造よりなる、紙張り経木を使った折り畳み式食品包装用容器である。
【発明の効果】
【０００５】    経木の内面だけに紙を貼るので、容器の外観は木そのもので、木の自然さをそのまま保つことが出来る。容器の内面は紙で覆われているので、今まであった経木容器の課題を解決することが出来る。即ちイ）切り込みやＶカットされた所が切断され難い。ロ）木屑や木の粉等が食品等に付着しない。ハ）容器内側の保湿性が均一化される。ニ）ご飯粒等が容器内側に付着し難い。ホ）木の匂いが食品等に移り難い。また、簡易に小さく折り畳めるので、輸送コストや保管スペースを節約できる。なお、本容器の蓋には経木に紙を張り合わせたものも使える。また用途によって、プラスティク、紙、透明フィルム等の蓋を用いても良い。
【発明を実施するための最良の形態】
【０００６】    経木を裁断する前に、容器の内側になる片面に紙を張れば、裁断加工はやりやすくなり、且つ経木の木目繊維方向の小割れ防止、作業性や歩留率も向上させることが出来る。尚、紙や紙を経木に接着する糊は食品上安全なものを使用する。
【図面の簡単な説明】
【０００７】
【図１】  本発明の底／側板材の斜視図である。
【図２】  本発明の底／側板材に、妻板側に紙を貼り合せた容器の斜視図である。
【図３】  本発明の補助板の斜視図である。
【図４】  本発明の容器に補助板を挿入した斜視図である。
【記号の説明】
【０００８】    １    容器の底
２    底に連結した側板
３    容器の妻板側に貼られた紙
４    折目（内側が山）
５    補助板
【図１】
2006044785.tif 000003
【図２】
2006044785.tif 000004
【図３】
2006044785.tif 000005
【図４】
2006044785.tif 000006
(57)【要約】【課題】ペットボトルなどから飲用の時、取り外したキャップの落下や紛失などを防止することができ、屋内・屋外・車内など、どこででも一時仮置きできるキャップホルダ付きキーホルグーを提供する。【解決手段】キャップ（６）を着脱自在に保持できるように形成されたキャップ保持部（１）を設け、前記キャップ保持部（１）をキーホルダー金具材（４）などと連結できるよう連結用孔部（２）を設けた連結用部材（３）を設け、連結用部材（３）にキャップ保持部（１）を取り付け、連結用孔部（２）とキーホルダーを連結させ、一体化させた構造のものである。【選択図】図１
2006044789.tif 000002
【特許請求の範囲】
【請求項１】
ペットボトルなどのキャップを保持できるキャップ保持部（１）を、連結用孔部（２）を設けた連結用部材（３）に取り付け、連結用孔部（２）とキーホルダー（４）を連結し一体化させたペットボトルキャップホルダ付きキーホルダー。（キャップ保持部・連結用部材・キーホルダーの材質に特定はない。）
【請求項２】
連結用部材（３）のキャップ保持部（１）を取り付ける部分に凹凸部（７）をつけ、衛生面上キャップを保護し、あとの構造は請求項１と同じである。
【発明の詳細な説明】
【技術分野】
【０００１】本発明はペットボトルなどの飲用の時、キャップの落下や紛失など防止するための一時仮置きできるキャップホルダ付きキーホルダーである。
【背景技術】
【０００２】従来のキャップホルダには、外したキャップを一時仮置きできるよう施したものがある。特許文献１参照。
【特許文献１】  特開平１６−１１５１２０号公報
【発明の開示】
【発明が解決しようとする課題】
【０００３】従来のキャップホルダでは、ペットボトルのラベルに挟み込むものであるため、ラベルが外れたペットボトルや瓶・缶などのボトルには、使用することができなかった。そこで本発明はラベルなどがなくても、どこででも一時仮置きできるようにすることを課題とする。
【課題を解決するための手段】
【０００４】上記課題を解決するため請求項１記載のキャップホルダ付きキーホルダーは、ホルダ部材と連結用孔部を設けた連結用部材に取り付け、連結用孔部とキーホルダーを連結し。一体化させた構造のものである。
【発明の効果】
【０００５】本発明は次のような効果を奏する。
請求項１に記載されている発明は、キャップホルダにキーホルダーを取り付けることにより、鞄・ベルトなどにキーホルダー部分で取り付け携帯することができ、屋内・屋外・車内にかかわらず、どこででもペットボトルなどのキャップを一時仮置きすることができ、連結用具に内径３５ｍｍ以上のリングを用いることにより、ペットボトルの首部に掛けて一時仮置きすることもできる。
【発明を実施するための最良の形態】
【０００６】ペットボトルなどのキャップを着脱自在に保持できるように形成されたキャップ保持部をキーホルダー金具材などと連結できるよう連結用孔部を設けた連結用部材に取り付け、連結用孔部材とキーホルダーを連結させ、キャップホルダとキーホルダーを一体化させた構造のもの。
【実施例】
【０７】ペットボトルなどから飲用の時外したキャップを一時仮置きできるキャップホルダと連結用孔部を設けた連結用部材に取り付け、どこにでも携帯できるようキーホルダーに連結用孔部材を連結させ、一体化させた構造のもの。
【産業上の利用可能性】
【図面の簡単な説明】
【０００８】
【図１】キャップホルダ付きキーホルダーを示した斜面図である。
【図２】キャップホルダ付きキーホルダーを示した断面図である。
【符号の説明】
【０００９】１  キャップ保持部
２  連結用孔部
３  連結用部材
４  キーホルダー金具材
５  内径３５ｍｍ以上のリング
６  キャップ
７  凹凸部
【図１】
2006044789.tif 000003
【図２】
2006044789.tif 000004
(57)【要約】【課題】液体、粉体等を保存、又は包装するする袋に用いられるチャックは内容物充填、取り出し時にチャックレールに液体、粉体等が堆積してしまい密閉性、清潔性を損なってしまう。【解決手段】チャックレールをフィルムで保護し粉体、液体等の堆積を防げばよい【選択図】図１
2006044786.tif 000002
【特許請求の範囲】
【請求項１】
プラスチックチャック袋において、単数又は複数チャック部分の凹凸各々の接合部分にフィルムをはさむことによって液体及び粉体、固体の堆積及び引っ掛かりを防止することが出来ることを特徴とするプラスチックチャックの利用方法である。
【請求項２】
前記利用方法は従来袋の内面よりの取り付け加工であったものを、袋の外部からの取り付けを可能とし且つチャックのフィルムによるサンドイッチ状の取り付け加工を可能としたことを特徴とした利用方法である。
【発明の詳細な説明】
【技術分野】
【０００１】  この発明は、食品用、その他軟包装におけるチャックの利用方法に関する。
【背景技術】
【０００２】  従来の食品用、その他に利用されるチャックの利用方法は、図２に示すように、袋状に加工されたプラスチックフィルム等（金属等の蒸着シートも含む）の内面にチャックを溶着等の方法で単一又は、複数配することで再度、開口可能な密封袋等を提供している。（必ずしも袋ではない）
【発明の開示】
【発明が解決しようとする課題】
【０００３】しかしながら、以上の技術によれば、液体、粉体等を包装しようとする場合、充填・取り出し何れの場合もチャックレール部に液体、粉体等が堆積してしまい密閉性・清潔性を損なってしまっている。又、固体を充填する場合においても当該部分が引っかかってしまう。そこで、この発明は、チャックレール部に液体、粉体が堆積しにくく固体が引っかかりにくいチャックの利用方法を提供することを課題とする。
【課題を解決するための手段】
【０００４】  以上の課題を解決するために、第一発明は、チャックレールと内容物が直接接触することのないチャック利用方法である。
また、第二発明は、従来チャックを設けるためにはフィルムとフィルムの接合面（内側）に溶着加工を行わなければならなかったが、この利用方法ではそな反対の面（外側）からの溶着加工を可能としたチャック利用方法である。
【発明の効果】
【０００５】  第一発明、チャックの密閉性、清潔性の飛躍的向上を図ることができる。第二発明によれば、従来よりチャック取り付け作業が容易となり取り付け装置の開発も容易となる
【発明を実施するための最良の形態】
【０００６】  この発明の一実施形態を、図１に示す。
この場合チャックはフィルムとフィルムの接合面とは逆の面（外側）に溶着されておりチャックの接合面は内側に向けて溶着されている。【０００７】「実施形態の効果」
この実施形態によれば、チャックの開口時は袋等の本体フィルムが内容物と接触するためにチャックレールの溝に液体、粉体等が体積することは少ない。万一凹側チャックレールに本体フィルムが入り込みその部分に液体、粉体が入り込んだ場合であっても本体フィルムをチャックレールと水平方向に引っ張ればチャックレール凹側より本体フィルム及び堆積物は除去される。
チャック閉鎖時には本体フィルムは凹凸双方の接合部分に挟み込むように収容される。フィルムの厚みによっては凹凸双方の形態、及び寸法を調節する必要がある。【０００８】「他の実施形態」
図１の実施形態では、袋等の本体フィルムの外部にチャックを配してチャックレールを液体、粉体等の堆積物より保護したが他の実施形では従来どおりフィルム内部にチャックを配しその上を別のフィルムで保護する。或いはフィルムの中にサンドイッチ状に挟みこんで利用する形態が考えられる。
【図面の簡単な説明】
【０００９】
【図１】この発明の一実施形態を示す斜視図である。
【図２】従来技術を示す斜視図である。
【符号の説明】
【００１０】１袋等の本体フィルム
２チャックテープ
【図１】
2006044786.tif 000003
【図２】
2006044786.tif 000004
(57)【要約】      （修正有）【課題】本発明は、鮪丼、海鮮丼等の具を、予め食品工場等で盛り付し、尚かつ、極めて容易に他の容器に移し替えする為の、食品容器を提供する。【解決手段】透明な容器のカバー１に、底２を薄いフィルムで作り、その片方の延長部を折り返す。折り返しされた底２の間にスラセ７を設けた食品容器である。使用する場合は、具を納めた本容器を丼等の上に置き、保持部６を掴み、底２の摘み部を引く事により、折り返し部から開き始める。スラセ７により、底の折り返し部３は鋭角に開き、中の具は整然と落ち、ご飯の上に盛り付けされる。【選択図】  図１
2006044788.tif 000002
【特許請求の範囲】
【請求項１】
容器のカバー（１）の下側に溶着され、薄板で作られ、折り返しが付いた底（２）を有する食品容器。
【請求項２】
折り返しされた底（２）の間にスラセ（７）を設けた食品容器。
【発明の詳細な説明】
【発明の詳細な説明】
【技術分野】
【０００１】  本発明は、鮪丼、海鮮丼等の具を、販売時の盛り付けの形状のまま、形を崩さずに、極めて容易に、他の容器に移し替えするための食品容器に関するものである。
【背景技術】
【０００２】  従来、鮪丼、海鮮丼等の盛り付けは、調理師さん等が、まな板、皿等から取り出した具を、一品一品、箸等で盛り付けするのが、殆どである。
また、容器側面の一部を切除し、開口させるか、あるいは容器側面の一部を切り込み等により、外方へ折り曲げ開口可能に形成し、この開口部より食品を移し替えるようにしたものは有った。（特許文献１参照）【０００３】
【特許文献１】    実用新案公開平６−２５１２７
【発明が解決しようとする課題】
【０００４】  鮪丼、海鮮丼等の盛り付けには、次のような問題点が有った。調理師さん等、専門職の人が、手間や時間を掛けて行っていた。その為大量のものを、素早くは調理出来なかった。また、生鮮魚は、いたみ易いので弁当等の具を盛り付け済みのテイクアウト販売には不向きでした。
本発明は、以上の問題点を解決し、予め食品工場等で盛り付けされた具を、そのままの形状で、形を崩さずに、極めて容易に移し替え出来るようになされたものである。
【課題を解決する手段】
【０００５】  容器のカバー（１）の下側に溶着され、薄板で作られ、折り返しが付いた底（２）を有する食品容器を提供する事により、上記課題を解決したものである。
また更に、折り返しされた底部の間に、スラセ（７）を設ける構成をしたものである。
【発明を実施するための最良の形態】
【０００６】  以下、本発明の実施の形態を説明する。
（イ）透明なＰＥＴ（ポリエチレンテレフタレート）等の生地からなる容器のカバー（１）に、ＰＥ（ポリエチレン）等の薄板フィルムからなる、底（２）を設ける。
（ロ）底（２）は、溶着後（３）部にて折り返えされ、その延長部の端に、つまみ部（５）を設ける。
（ハ）折り返し部（３）が、スライドできる厚手のＰＥＴ等からなるスラセ（７）の端部で鋭角に折り返されるよう、スラセ（７）を設ける。また、スラセは薄い底部を保護する役目もある。
本発明は、以上の構成よりなる。
本発明を使用する場合は、予め盛り付けされた鮪丼、海鮮丼等の具を納められた本容器を、ご飯が入れられた丼等の上に置く。保持部（６）を掴み、底（２）のつまみ部（５）を図２の矢印の方向に引く事により、折り返し部から開き始める。スラセ（７）により、底の折り返し部（３）は、ナイフエッジ効果で鋭角に開く。よって、具の落下時の巻き込みを防ぎ、中の具は、ご飯の上に順序良く、整然と落ち、ご飯の上に盛り付けされる。また、粘着力の有る具の時には、離形剤を底（２）に塗れば巻き込みを防ぐ事ができる。
【発明の効果】
【０００７】以上のように、本発明は、鮪や、その他鮮魚の寿し種等を、販売時の盛り付けの形状のまま、形を崩さずに、極めて容易に、他の容器に移し替える事ができる。
和食堂、レストラン等では、お客さまをあまり待たせる事なく、しかもベテラン調理師でなくとも、素早く調理できる。
今までは、鮪丼、海鮮丼等を弁当としてテイクアウトの販売は、鮮度保持の問題で不向きでした。しかし、この方法だとご飯と具を別々の容器で販売し、お客さま自らが盛り付けをする。具の方には保冷剤を添付すれば、鮮度は数時間は保たれるのでテイクアウトの販売も可能になります。
食品工場で大量に加工すればコストダウンも図られ、必要数量だけ仕入れ出来るので廃棄等の無駄も少なくなる。
【図面の簡単な説明】
【図１】      本発明の斜視図
【図２】      本発明のＡ−Ａ断面図
【図３】      本発明のＢ−Ｂ断面図
【符号の説明】
（１）カバー、  （２）底、  （３）折り返し部、  （４）底延長部、  （５）つまみ部、  （６）保持部、  （７）スラセ、  （８）カバー縁、  （９）スラセ縁、  （１０）溶着部
【図１】
2006044788.tif 000003
【図２】
2006044788.tif 000004
【図３】
2006044788.tif 000005
(57)【要約】【課題】コーヒー等が入れられるスチール等の金属製の缶、或いはその蓋に樹脂を素材とするガス抜きバルブを取付けるための方法を提供することを目的とする。【解決手段】蓋２の所要部に小孔５をあける工程と、該小孔５より大径の孔６をあけ、かつ一面に接着剤層を設けたポリエチレン製のフィルムよりなるシール７を孔６内に小孔５が収まるようにして接着する工程と、樹脂を素材とする一方向性のガス抜きバルブ４をシール７に当て、バルブ４とは反対側より２００〜２５０℃に加熱したヒータを１〜３秒間当ててバルブ４とシール７を熱溶着する。【選択図】図３
2006044763.tif 000002
【特許請求の範囲】
【請求項１】
ガスを発生させる食品を入れた金属缶或いはその蓋にガス抜きバルブを取付けるための方法であって、スチール等の金属製の缶、或いはその蓋に小孔をあける工程と、上記小孔より大径の孔をあけ、一面に接着剤層を設けたフィルムよりなるシールを上記缶或いは蓋に接着剤層を向けて孔が小孔に合うようにして接着する工程と、樹脂を素材とする一方向性のガス抜きバルブを上記シールに当て、バルブとは反対側より缶、或いは蓋をヒータ等の加熱手段により加熱してバルブをシールに溶着する工程よりなることを特徴とするガス抜きバルブの取付方法。
【発明の詳細な説明】
【技術分野】
【０００１】
本発明は、例えばコーヒーや味噌、キムチ等の保管時にガスを発生させる食品が入れられるスチール缶のような金属缶、或いはその金属製の蓋に取付けられるガス抜きバルブの取付方法に関する。
【背景技術】
【０００２】
ガスを発生させる食品の１例として、コーヒーを例にとっていえば、レギュラーコーヒーは一般に、コーヒー豆を焙煎したのちブレンドし、粉砕したのちに袋や容器、或いは缶に入れて包装されているが、コーヒーは焙煎後、多量の炭酸ガスが発生し、これによりコーヒーの入った袋や容器、或いは缶内の内圧が高まって袋や容器の場合、膨らんで、そのまま放置しておくと破袋するようになる。この点金属缶、例えばスチール缶は、強度があって、リサイクル処理や再利用が可能で、環境にやさしい容器であり、しかも遮光性及び密封性に優れて、コーヒーの品質を長期にわたって維持することができるが、袋や容器を開封し、或いは缶の蓋を取ったとき、炭酸ガスと共にコーヒーの粉が噴出して飛び散るようになる。
【０００３】
この問題を解消するために、袋や容器に孔をあけて一方向性のガス抜きバルブを熱溶着又は接着して取付け、食品から発生したガスをバルブを通して排出させ、外気を遮断してコーヒーの酸化を防ぐことが行われている。こうしたガス抜きバルブの一例が下記特許文献１に開示されている。
【特許文献１】特開２００２−１７９１２１号
【発明の開示】
【発明が解決しようとする課題】
【０００４】
ガス抜きバルブの溶着は、袋や容器に対しては、袋や容器を構成するシートに通常、フィルムがラミネートされていることから、溶着が容易にできるが、スチール缶のような金属缶に対しては、缶を加熱して溶着しようとすると、バルブの素材は樹脂であることから、バルブが溶融し、バルブの機能を果たさなくなりがちである。
【０００５】
本発明は、ガスを発生させる食品が入れられるスチール等の金属製の缶、或いはその蓋に樹脂を素材とするガス抜きバルブを取付けるための方法を提供することを目的とする。
【課題を解決するための手段】
【０００６】
本発明はそのため、スチール等の金属製の缶、或いはその蓋に小孔をあける工程と、上記小孔より大径の孔をあけ、一面に接着剤層を設けたフィルムよりなるシールを上記缶或いは蓋に接着剤層を向けて孔が小孔に合うようにして接着する工程と、樹脂を素材とする一方向性のガス抜きバルブを上記シールに当て、バルブとは反対側より缶、或いは蓋をヒータ等の加熱手段により加熱してバルブをシールに溶着する工程よりなることを特徴とする。
【発明の効果】
【０００７】
本発明によると、バルブが小孔の周りのシールに溶着して缶、或いはその蓋に取付けられ、缶或いはその蓋にフィルムをラミネートする必要がなく、シールを所要部に添付するだけでよいので、バルブを簡易かつ安価に取付けることができる。
【発明を実施するための最良の形態】
【０００８】
図１は、ガスを発生させる食品の一例としてレギュラーコーヒーを入れたスチール缶１を示すものであり、図２は、その蓋２を示すもので、タブ３を起こすことにより蓋２が開けられるようになっている。
蓋２の裏面には、樹脂を素材とする一方向性のガス抜きバルブ４が取付けられている。このバルブ４は上記特許文献１に開示されるタイプの既知のもの、例えば大塚テクノ株式会社製のネーブルバルブ（商品名）で、その取り付けは次のようにして行われる。
【０００９】
蓋２には図３に示されるように、所要部に一箇所１mmφ程度の小孔５があけられ、該小孔５より大径の２〜４mmφ程度の孔６をあけ、かつ一面に接着剤層を設けたポリエチレン製のフィルムよりなるシール７が孔６内に小孔５が収まるようにして接着剤層にて接着する。つぎにバルブ４をシール７に当て、バルブ４とは反対側より蓋２に２００〜２５０℃に加熱したヒータ（図示しない）を１〜３秒間当て、バルブ４とシール７を熱溶着してなるものである。
【産業上の利用可能性】
【００１０】
本発明は、ガス抜きバルブを金属製の缶の蓋のみならず、缶自体に取付けるのに使用することができる。
【図面の簡単な説明】
【００１１】
【図１】スチール缶の正面図。
【図２】同蓋の断面図。
【図３】図２に示す蓋の要部の拡大断面図。
【符号の説明】
【００１２】
１・・スチール缶
２・・蓋
３・・タブ
４・・ガス抜きバルブ
５・・小孔
６・・孔
７・・シール
【図１】
2006044763.tif 000003
【図２】
2006044763.tif 000004
【図３】
2006044763.tif 000005
(57)【要約】【課題】  手書きによるＰＯＰ広告制作やポスタ−制作などにおいて、文字・数字の構成、大きさ、幅の均等性、上下左右への線のぶれなどは、見る人の感覚に大きな影響を与えるものである。その内、幅の均等性と上下左右へのぶれに関して、その対応のため、さしや種々の定規、コンパスなどを使い、採寸し、下書きした上で本書きしなければならないので、手間と時間を要する上に技術的な能力も必要とするものである。【解決手段】  文字・数字の幅の均等性を保ち、上下左右へのぶれを防ぐため、筆記具４、５の中央に、あらかじめ描かれた単線の文字・数字の上をなぞるべく軸８をつけ、筆記用具の傾きによって線が欠損することがないよう筆記具４および５、棒状物１にスプリングをつけた。更に、棒状物１を握って操作する際に、握った手指の動きが制約されないように工夫を加えた。【選択図】  図１
2006044202.tif 000002
【特許請求の範囲】
【請求項１】
左右に、板状物の溝を移動でき固定できる止め具つきの筆記具がつき、中央に描く方向を導く軸のついた、複線を描く筆記用具。
【請求項２】
筆記具、棒状物それぞれに押しスプリングを内蔵し、板状物や筆記具が棒状物を操作する手指の動きを邪魔しないように工夫した請求項１記載の複線を描く筆記用具。
【発明の詳細な説明】
【技術分野】
【０００１】  本発明は、直線・曲線にかかわらず、複線の幅が均等になるように図り、更に文字・数字が上下左右へぶれないように図った複線を描く筆記用具に関するものである。
【背景技術】
【０００２】  手書きによるＰＯＰ広告制作や看板、ポスタ−制作などにおいて、文字・数字の構成、大きさ、幅の均等性、上下左右へのぶれなどは見る人の感覚に大きな影響を与えるものであるが、その内、幅を均等に保ち、上下左右へのぶれを防ぐため、従来、適切な筆記用具がなかった。【０００３】
【非特許文献１】  公開実用昭和６３−１１６３９５
【非特許文献２】  公開実用昭和６２−６０３８４
【０００４】  そのため、さしや変形定規、コンパスなどを使い、採寸し、下書きした上で本書きしていたものである。
【発明の開示】
【発明が解決しようとする課題】
【０００５】  手書きにより直線・曲線の複線を描くについて、従来、適切な用具がなかったため、種々の定規やコンパスなどを必要とし、制作に手間と時間を要したものであり、更に技術的な能力も必要としたのである。【０００６】  手書きで複線を描くについて、幅の均等性を保つことと複線の上下左右へのぶれを防ぐ必要がある。【０００７】  棒状物１の傾きにより線が欠損することのないように工夫する必要があり、棒状物１を操作するさいに板状物３や筆記具４、５が棒状物１を握った手指の動きを制約しないように工夫する必要がある。
【課題を解決するための手段】
【０００８】  本発明は文字・数字の幅の均等性を確保し、上下左右へのぶれを防ぐために、あらかじめ描かれた単線の文字・数字の上をなぞる目的を持った軸８をつけた棒状物１に、左右均等に筆記具４、５を固定できる溝２を設けた板状物３を直角に取りつけた。【０００９】  筆記具４、５を描く面に圧力を持たせ、棒状物１の傾きによる線の欠損を防止するために、棒状物１、筆記具４、５に同じ圧力になるよう設定した押しスプリングを内蔵した。【００１０】  棒状物１を持ち操作する際、板状物３や筆記具４、５が握った手指の動きを制約しないように工夫し、本筆記用具のを容易にした。
【発明の効果】
【００１１】  本発明は軸８が、あらかじめ描かれた単線の文字・数字の上をなぞることによって、複線の文字・数字が描かれるもので、種々の定規やコンパスなどを必要としないため、手書きによる複線制作の手間、時間を大幅に改善させるものである。【００１２】  本発明は求める文字・数字の幅の１／２を軸８と筆記具４、５の間で計測し、止め具６で固定する。そして、軸８があらかじめ描いておいた単線の文字・数字の上をなぞることによって、自動的に複線が描かれるものである。【００１３】  軸８と筆記具４、５の距離を等しく設定できるので、軸８が文字・数字の上をなぞることにより、文字・数字の幅が均等となり、上下左右へのぶれを防止することができるものである。【００１４】  描く面に均等に圧力がかかるように、棒状物１、筆記具４、５に押しスプリング７を内蔵させているので、筆記具４、５は線の均質な複線を描くことができ、操作上、棒状物１を傾かせても線が欠損することがない。【００１５】  板状物３や筆記具４、５が棒状物１を握った手指の動きを制約しないよう工夫がなされているため、曲線の複線を描く際に、棒状物１の操作が容易になる。
【発明の実施するための最良の形態】
【００１６】  棒状物１に対して直角に板状物３を取りつける。棒状物１の先に軸８をつける。板状物３の後端９や左右の筆記具４、５が棒状物１を操作する握った手指の動きを妨げないように、板状物３、筆記具４、５を設定する。
【００１７】  板状物３には筆記具４、５が棒状物１に対して等しい間隔に伸縮できるように溝２を設け、その溝２に沿って筆記具４および５を移動させ、固定させることができるように、筆記具４および５それぞれに、溝２を移動でき、固定させることができる止め具６を取りつける。
【００１８】  棒状物１、筆記具４および５それぞれに描く面に均等に圧力がかかるように設定された押しスプリングを内蔵させる。
【実施例】
【００１９】  本発明の趣旨に沿った試作品で手書きによるＰＯＰ広告の制作を試みた。手書きによるＰＯＰ広告の制作においても、文字・数字の構成、大きさ、幅の均等性、上下左右へのぶれは見る人の感覚に大きな影響を与えるものであり、その内、本発明は幅の均等性と上下左右へのぶれにかかわるもので、文字・数字の構成、大きさの決定を終えた後に、従来は、さしや定規などで、幅が均等になるように、また、上下左右にはみ出ないように、採寸し、記しをつけ、下書きした上で本書きしていたもので、文字・数字の多い作品では半日ないしは一日の時間を要し、その時間を短縮するためには、技術的な能力をたかめるしかなかった。【００２０】  同じ作品を制作するのに、従来の手法と本発明品の使用でその効果を比較してみた。本発明品をあらかじめ描かれた単線の文字・数字の上をなぞらせて制作した制作時間は従来の手法の１／５から１／１０に短縮された。また、制作の技術的な手間は少なく、操作が慣れるに従って、更に時間が短縮され、技術的にも平易化される可能性が示された。
【図面の簡単な説明】
【００２１】
【図１】    本発明の実施形態を示す筆記用具の部分断面図
【符号の説明】
【００２２】  １    棒状物
２    溝
３    板状物
４    筆記具
５    筆記具
６    止め具
７    押しスプリング
８    軸
９    板状物後端
【図１】
2006044202.tif 000003
(57)【要約】【課題】  幼児が鉛筆、ボールペン等を持ったまま歩き回った際、つまずき、転倒等の不測の事態により、顔面等に損傷を与えるのを防ぐための、安全な筆記具用キャップを提供する。【解決手段】  キャップ本体の先端に、筆記具の先端のみが出る穴を設けた筆記具用キャップ。【選択図】  図２
2006044208.tif 000002
【特許請求の範囲】
【請求項１】
キャップの先端部に筆記具の芯のみが出る穴を設け、幼児が持ち歩いても安全かつ安心な筆記具用キャップ。
【発明の詳細な説明】
【技術分野】
【０００１】  本発明は、幼児が筆記具を持ち歩いてつまずいたり、転倒したとき、顔面等に損傷を与えるのを防ぐための、安全な筆記具用のキャップに関するものである。
【背景技術】
【０００２】  従来、筆記具のキャップは筆記具の先端を保護するためのものであり、それを使用する人間の安全にかかわるものではなかった。
キャップは、筆記具を使用するときは不要のものであり、役立つのは筆記具を使用しないときであった。
【発明の開示】
【発明が解決しようとする課題】
【０００３】幼児に自由に絵や文字を書かせたい反面、筆記具を持ったまま歩き回ってつまずいたり、転倒したときのことを考え、保護者はただ心配するのみであった。
本発明は、この問題を解決するためのものである。
【課題を解決するための手段】
【０００４】  太めのキャップの先端に筆記具の芯が出る穴を設け、キャップ内側の筆記具が納まる穴は、筆記具が緊切して挿入出来るように、徐々に細くなっている。以上を特徴とする幼児に安全な筆記具用のキャップである。
【発明の効果】
【０００５】  本発明は筆記具に装着することにより、幼児が持ち歩き時のつまずき、転倒による顔面等の損傷を未然に防ぎ、保護者は安心して見守っていられる。
【発明を実施するための最良の形態】
【０００６】  以下、本発明の実施の形態について説明する。
（イ）キャップ本体（１）の先端に、筆記具の芯が出る穴（３）を設ける。
（ロ）キャップ本体（１）の穴（３）の反対側に、筆記具を挿入する穴（４）を設ける。
（ハ）キャップ本体（１）の穴（３）と穴（４）を結ぶ部分に太さが徐々に細くなっている穴（２）を貫通させる。
（ニ）筆記具は穴（４）より入り、緊切させつつ穴（３）でその芯を出す。
（ホ）本発明のキャップは筆記具の反対側の頭頂部にも使用する。
【図面の簡単な説明】
【０００７】
【図１】本発明の断面図
【図２】本発明に筆記具が挿入された状態を示す断面図
【図３】本発明の使用状態を示す斜視図
【符号の説明】
【０００８】１    キャップ本体
２    筆記具が緊切され納まる穴
３    筆記具の芯が出る穴
４    筆記具の挿入穴
５    筆記具
６    筆記具の芯
【図１】
2006044208.tif 000003
【図２】
2006044208.tif 000004
【図３】
2006044208.tif 000005
(57)【要約】      （修正有）【課題】この発明は、自転車の制動時、停止時の操作の集中を分散して安定をはかる。【解決手段】制動装置に繋いだワイヤを、サドル設けた押板を体重移動し、押すことにより、重心を後方に移しながら制動し、操舵に集中でき、停止時も地面に足をしっかりつけたまま、制動をかけられる。【選択図】図２
2006044625.tif 000002
【特許請求の範囲】
【請求項１】
体重移動で制動装置を作動する板を装備した自転車のサドル（１）。
【発明の詳細な説明】
【発明の詳細な説明】
【発明の属する分野】
【０００１】この発明は自転車乗車中に体重移動で制動装置を作動できるサドル。
【背景技術】
【０００２】従来の技術は手でレバーを握ることで制動装置を作動させてきたが操舵も同時に行わなければならず不安定が増していた。
【発明が解決しようとする課題】
【０００３】したがって手は操舵に集中することができる。
【課題を解決するための手段】
【０００４】いまその構成を説明すると
サドル（１）に押板（５）をつけて、乗車中に制動するとき体勢は前方へ移動するので意識的に後方へ体重を移すことで制動し人機、共に安定した体勢をとれる、停車時には押板（２）を臀部で押さえることで不安定も軽減できる。
【発明を実施するための最良の形態】
【０００５】次に、本発明の作用を述べると、乗車中に制動するときは、体重を、後方へ意識的に移し押板（５）を押しつけると押棒（６）がおされ、それに繋がるワイヤ（１２）が引き上げられて、金具（１４）が引き上げられる、金具（１４）に繋がれたワイヤ（１７）は制動装置に繋がれているので制動できる。停車時には前方へ体勢を移せば地面に足を着いたまま押板（２）を押しつければ安定したままで停止していられる。
【発明の実施例】
【０００６】なお、このサドルにレバーによる制動と前後ブレーキの組み合わせを加えれば選択の幅がひろがる。
【発明の効果】
だから制動時の前部での操作と重心の集中を分散し、停止時の不安定を緩和できる。
【図面の簡単な説明】
【図１】      〔本発明の上面図〕
【図２】      〔本発明の横面図〕
【図３】      〔ワイヤ引き上げ部上面図〕
【図４】      〔ワイヤ引き上げ部横面図〕
【符号の説明】
１は  サドル本体
２は  押板
３は  滑り止め
４は  ワイヤ
５は  押板
６は  押棒
７は  バネ
８は  支柱
９は  バネ
１０は  支柱
１１は  金具本体
１２は  ワイヤ
１３は  回転軸
１４は  金具
１５は  金具
１６は  金具
１７は  ワイヤ
１８は  サドル支柱
【図１】
2006044625.tif 000003
【図２】
2006044625.tif 000004
【図３】
2006044625.tif 000005
【図４】
2006044625.tif 000006
(57)【要約】【課題】自動車内で喫煙した場合、既設の空調装置の外気導入循環機能を使用するか窓を開けることで換気をしていたが、その方法では換気に時間がかかり、また車室内に煙を拡散させることで、同乗者はもちろん喫煙者までもが不快な思いをしていた。その結果、喫煙者は喫煙を我慢することになり、我慢できずに喫煙した場合は、同乗者に不快な思いをさせることになっていた。本発明により、車室内のタバコの煙を拡散させることなく速やかに排気する自動車用の換気装置を提供する。またこの装置を使用することにより、自動車内での喫煙者、非喫煙者双方の立場を守る分煙環境を提供する。【解決手段】各座席毎に専用の排気口１とその制御ボタン２、それに連動するモータファン４を設ける。喫煙者がその座席の制御ボタン２を使用しその排気口１の開口とモータファン４を作動させることで、吸気口５からの車室内全体からその排気口１への一定方向の空気の流れができ、それに伴いタバコの煙が車室内に拡散することなく速やかに排気される。【選択図】図１
2006044626.tif 000002
【特許請求の範囲】
【請求項１】
自動車の車室の各座席毎に専用の排気口を設け、またその車室内に外気吸気口を有することで、その外気吸気口から外気を吸気しながら、車室内の汚れた空気を車室外に排気することができることを特徴とする自動車用排気装置。
【請求項２】
前記排気口は排気パイプによってモータファンを経由し車室外へ繋がっており通常は閉口した状態であるが、各座席毎に配置された制御ボタンにより、その開口とモータファンの作動を制御されることを特徴とする請求項１記載の自動車用排気装置。
【請求項３】
前記外気吸気口は、車室内の広範囲より吸気できる形状をもつことを特徴とする請求項１記載の自動車用排気装置。
【発明の詳細な説明】
【技術分野】
【０００１】  この発明は、自動車の車室内の換気システムに関する。
【背景技術】
【０００２】  自動車内で喫煙した場合、その車室内の換気をするには、専用の換気装置はなく、既設の空調装置の外気導入循環機能を使用するか、窓を開けることによるものである。
【発明の開示】
【発明が解決しようとする課題】
【０００３】しかしながら、以上の技術によれば、換気に時間がかかるだけでなく、タバコの煙が車室内全体に拡散することになり、同乗者およびその当事者である喫煙者までが、不快な思いをすることになっていた。
そこで、この発明は、タバコの煙を車室内に拡散させることなく速やかに効率的に排気する換気装置を提供することを課題とする。
【課題を解決するための手段】
【０００４】  以上の課題を解決するために、第一発明は、自動車の車室の各座席毎に専用の排気口を設け、またその車室内に外気吸気口を有することで、その外気吸気口から外気を吸気しながら、車室内の汚れた空気を車室外に排気することができることを特徴とする自動車用排気装置である。【０００５】  また、第二発明は、前記排気口は排気パイプによってモータファンを経由し車室外へ繋がっており通常は閉口した状態であるが、各座席毎に配置された制御ボタンにより、その開口とモータファンの作動を制御されることを特徴とする自動車用排気装置である。【０００６】  また、第三発明は、前記外気吸気口は、車室内の広範囲より吸気できる形状をもつことを特徴とする自動車用排気装置である。
【発明の効果】
【０００７】  第一発明によれば、各座席毎に専用の排気口を設けることで、排気するべきタバコの煙の発生場所から排気口までの距離を短くでき、また、外気吸気口を設けることで、スムーズにタバコの煙を排気口に誘引できる。【０００８】  第二発明によれば、排気口を排気パイプによってモータファンを経由し車室外へ繋げることにより、効率よく強制的に排気できる。また、排気口の開口とモータファンの作動を制御する制御ボタンを各座席毎に配置することで、喫煙者自身がその座席のみの排気口を作動させることができ、タバコの煙を喫煙者以外の座席に拡散させること無く排気することができる。【０００９】  第三発明によれば、外気吸気口より車室内の広範囲から外気を吸気することにより、どの座席の排気口を作動させたときでも、常に、喫煙者からその座席の排気口への最短距離の一定方向の空気の流れを作ることができ、車室内にタバコの煙を拡散させること無く排気できる。
【発明を実施するための最良の形態】
【００１０】  この発明の一実施形態を、図１に示す。
排気口１は座席の上方側面に各座席毎に設けられ、制御ボタン２も各座席横に配置される。排気口１は排気パイプ３によってモータファン４へ連結されている。モータファン４は車室外に向かって開口し、作動することで、排気パイプ３からの煙を、車室外に排気する。喫煙者がその座席の制御ボタン２を操作することによって、その座席の排気口１が開口し、モータファン４が作動する。吸気口５は、車室内全体より吸気できるよう天井部などに広範囲に開口し、吸気パイプ６によって外気導入口７に連結されている。【００１１】「実施形態の効果」
この実施形態によれば、喫煙者がその座席の制御ボタン２を使用することで、タバコの煙がその座席の排気口１に集まり、排気パイプ３、モータファン４を通って車室外に速やかに排気される。このとき吸気口５によって、車室内全体から喫煙者の座席の排気口１に向かって一定方向の空気の流れができるので、車室内にタバコの煙が拡散しない。したがって、同乗者はもちろん喫煙者自身も、不快な思いをすること無く喫煙することができる。喫煙者自身が制御ボタン２を使用することで、他の同乗者に気兼ねなく喫煙することができる。運転者のみが乗車し喫煙する場合でも、この装置を使うことで、タバコの匂いが車室内に付くことを防止できる。【００１２】「他の実施形態」
図１の実施形態では、吸気口５は天井部に広範囲に設置されたが、他の実施形態では、車室内全体から吸気できるものであれば、吸気口５は座席下などに設置されたものでもよい。また、吸気口５は吸気パイプ６によって外気導入口７へと集約される形で繋がるが、小型の吸気口５を車室内の広範囲に点在させ、それぞれの場所で外部へと開口する形でもよい。
【産業上の利用可能性】
【００１３】  喫煙の問題について、公共性の高い場所においては分煙というシステムが一般的になりつつある今日ではあるが、プライベートな空間、しかもその影響が短時間に全体に広がる自動車内においては喫煙者のモラルに頼らざるをえない状況である。そもそも問題解決はされておらず、喫煙者、非喫煙者のどちらかが我慢しているのが現状である。本発明を日本の主要産業のひとつである自動車産業が、その製造段階で活用することによって、この問題も、自動車内の分煙システムの確立という形で、解決できると考える。
【図面の簡単な説明】
【００１４】
【図１】この発明の一実施形態を示す俯瞰の模式図である。
【符号の説明】
【００１５】        １  排気口
２  制御ボタン
３  排気パイプ
４  モータファン
５  吸気口
６  吸気パイプ
７  外気導入口
【図１】
2006044626.tif 000003
(57)【要約】【課題】通常のＧＨｚ帯レーダでは観測されない未確認飛行物体（ＵＦＯ）の探知を可能とする。【解決手段】高速フーリエ変換を行うソフトを用いて観測されるＨＲＯのエコーのスペクトルのチャートの中で、同時刻に異なったドップラー周波数のエコーを持っているものやドップラー周波数が異常に変化するもの、あるいは、飛行機よりはるかに速い速度であると考えられるエコーを主に検出し、流星からのエコーや飛行機からのエコー、ノイズ源からのエコーを分離排除し目的の未確認飛行物体からのエコーと判断したとき、警報を発する未確認飛行物体の探知装置。【選択図】図２
2006044631.tif 000002
【特許請求の範囲】
【請求項１】
送信地点から電波を出し、目標物体に電波を反射させ、前記送信地点とは別の受信地点で前記反射電波を受信するレーダにおいて、前記受信電波のドップラー効果を観測し、目標物体の飛行方向が急激に変化することを、ドップラー効果で知ることを特徴とする未確認飛行物体の探知装置。
【請求項２】
前記未確認飛行物体の探知装置であって、高速フーリエ変換で得られたエコーのチャートを微分し、その微分値、すなわち、チャートの傾きの絶対値が、ある一定の閾値を超えたとき、ＵＦＯを探知したとする未確認飛行物体の探知装置。
【発明の詳細な説明】
【技術分野】
【０００１】
この発明はＶＨＦ、ＵＨＦなどの電波を利用した、防空レーダ、未確認飛行物体ＵＦＯの探知装置の分野に属する。
【背景技術】
【０００２】
流星の電波はＨＲＯ（Ｈａｍ  Ｒａｄｉｏ  Ｏｂｓｅｒｖａｔｉｏｎ）などでは、ある地点で電波を放射し、流星に電波が当たり、散乱され、前記散乱された電波を、発射地点と異なる複数の地点でドップラー効果を観測することで、計算によって流星の飛行方向を、測定することができる。勿論、この測定では、飛行機により散乱された電波も解析できる。
【０００３】
【非特許文献１】監修  中村卓司  流星電波観測ガイドブック  ＣＱｈａｍｒａｄｉｏ増刊  ＣＱ出版社
【発明の開示】
【発明が解決しようとする課題】
【０００４】
ＧＨｚ帯のレーダでは、早く飛行する大陸間弾道弾や、急激に方向変換する飛行物体は連続的に観測できないという課題がある。
【課題を解決するための手段】
【０００５】
発明者は従来よく利用されているＧＨｚ帯のレーダでは観測されない飛行物体を、ＶＨＦやＵＨＦの電波を用いた、例えばＨＲＯ等のような観測方法を用い、ＨＲＯ等の観測チャートに急激なドップラー偏移の逆転のあるようなスペクトルが現れると、それで、警報を発するようにしたことを、主要な特徴とする。
【発明の効果】
【０００６】
この発明によって、従来観測できなかった高速で飛行する移動物体や、１８０度ターンする高速移動物体の連続的な観測が可能になるという顕著な効果を有する。
【発明を実施するための最良の形態】
【０００７】
本発明は例えばＨＲＯの改良に関するものであるので、最初にＨＲＯについての説明を交え、本願発明について最良の形態を述べる。図1はＨＲＯのスペクトルの例で例えばＨＲＯＦＦＴ等のソフトを使用して観測したデータの模式図である。受信機からのオーディオ信号を高速フーリエ変換して周波数を縦軸に横軸に実時間を表示させた例である。
ところで、未確認飛行物体が飛行していて１８０度ターンをした際にどのようなスペクトルが現れるであろうか？同時刻に異なった周波数でエコーが観測されるケース、未確認飛行物体の速度が遅い場合は飛行機からのエコーに近いロングスパンのエコーで、周波数が極端に変動するケース、などがある。また、１８０度ターンをしなかった場合、飛行機よりは速度が速かったら、ロングスパンで一般の飛行機のエコーより短いものが、観測されることが予想される。
上記、様々なケースに対応して、流星からのエコー、飛行機からのエコー、電車のノイズなどの外部要因のエコーなどを排除し、エコーを検出し、警報を発する装置が本願発明の未確認飛行物体探知装置である。
【実施例１】
【０００８】
ＨＲＯＦＦＴのエコーのチャートを微分し、その微係数の絶対値が一定の閾値を超えたとき、ＵＦＯを探知したと考える。この概念図を図２に示す。
【産業上の利用可能性】
【０００９】
本発明は防空レーダシステムの補完用レーダシステムとして軍需産業に利用される。また、いわゆるＵＦＯの探知装置としてマニアックな研究分野の計測機器としての需要が見込まれる。
【図面の簡単な説明】
【００１０】
【図１】ＨＲＯの解析ソフトＨＲＯＦＦＴの観測データの模式図である。
【図２】ＨＲＯＦＦＴのチャートの微分し、一定の閾値以上でＵＦＯを探知したとする概念図。
【図１】
2006044631.tif 000003
【図２】
2006044631.tif 000004